(57)【特許請求の範囲】
【請求項１】
外軸を透明あるいは着色透明に構成し、この外軸内に内軸を設けた筆記具において、外軸の後部に内鍔を形成し、この内鍔に長手方向に伸びたキー溝を形成するとともに、内軸の後部に外鍔を形成し、この外鍔より長手方向前方に伸びたキーを形成し、内軸のキーを外軸のキー溝に係合して外軸内に内軸を回動不能に挿入し、更に、胴に前記内軸を着脱可能に取り付け、胴の外鍔と内軸の外鍔により外軸を挾持し、内軸の外面に設けた加飾物に更に熱収縮性フイルムを被せ、外軸と内軸の間に挿入された胴の後部と内軸のキーとの間に熱収縮性フイルムを設けて固定したことを特徴とする筆記具。
【請求項２】
治具に加飾物を巻き付け、その上に熱収縮性フイルムを被せて収縮し、この加飾物および熱収縮性フイルムを治具から外して内軸に被せたことを特徴とする請求項１記載の筆記具。
【請求項３】
外軸を透明あるいは着色透明に構成し、この外軸内に内軸を設けた筆記具において、外軸の後部に内鍔を形成し、この内鍔に長手方向に伸びたキー溝を形成するとともに、内軸の後部に外鍔を形成し、この外鍔より長手方向前方に伸びたキーを形成し、内軸のキーを外軸のキー溝に係合して外軸内に内軸を回動不能に挿入し、更に、胴に前記内軸を着脱可能に取り付け、胴の外鍔と内軸の外鍔により外軸を挾持し、熱収縮性フイルムの外面に加飾物を貼着し、この熱収縮性フイルムを内軸に被せ、外軸と内軸の間に挿入された胴の後部と内軸のキーとの間に熱収縮性フイルムを設けて固定したことを特徴とする筆記具。
【請求項４】
治具に熱収縮性フイルムを被せて収縮し、この熱収縮性フイルムに加飾物を貼着し、この熱収縮性フイルムを治具から外して内軸に被せたことを特徴とする請求項３記載の筆記具。
【請求項５】
外軸を透明あるいは着色透明に構成し、この外軸内に内軸を設けた筆記具において、外軸の後部に内鍔を形成し、この内鍔に長手方向に伸びたキー溝を形成するとともに、内軸の後部に外鍔を形成し、この外鍔より長手方向前方に伸びたキーを形成し、内軸のキーを外軸のキー溝に係合して外軸内に内軸を回動不能に挿入し、更に、胴に前記内軸を着脱可能に取り付け、胴の外鍔と内軸の外鍔により外軸を挾持し、熱収縮性フイルムの外面に加飾物を設け、この加飾物の外側に更に熱収縮性フイルムを被せ、この熱収縮性フイルムを内軸に被せ、外軸と内軸の間に挿入された胴の後部と内軸のキーとの間に熱収縮性フイルムを設けて固定したことを特徴とする筆記具。
【請求項６】
治具に熱収縮性フイルムを被せて収縮し、この熱収縮性フイルムの外側に加飾物を設け、この加飾物の外側に更に熱収縮性フイルムを被せ、内側の熱収縮性フイルムと外側の熱収縮性フイルムにより加飾物を挾持し、この２つの熱収縮性フイルムと加飾物を治具から外して内軸に被せて取り付けたことを特徴とする請求項５記載の筆記具。
【発明の詳細な説明】
【技術分野】
【０００１】
本発明は、内部が透視可能な外軸内に設けられた内軸に加飾物を固定した筆記具に関する。
【背景技術】
【０００２】
従来、箸、フェルトペンなどの棒状体にシュリングフイルム筒が加熱収縮されて密着された棒状体において、ホログラム箔がシュリングフイルム筒内面に貼り付けられ、このホログラム箔がシュリングフイルム筒の透明部より透視可能に構成された棒状体が知られている。（特許文献１参照）
【特許文献１】特開平１０−１０８７７６号公報（図１参照）
【発明の開示】
【発明が解決しようとする課題】
【０００３】
筆記具の軸筒において、シュリングフイルム筒を被せて軸筒を構成した場合には、使用者が好みに合わせてシュリングフイルム筒を被せることができる利点はあるが、シュリングフイルム筒に傷が付き易く、また、直接手で保持するとシュリングフイルム筒が剥がれ易く、すぐに外観を損なってしまうものであった。
【０００４】
そこで、本願発明者は上記課題を解消する手段として、透明あるいは着色透明で構成した外軸内に内軸を設け、この内軸に加飾物を設けることを見出したが、外軸内に設けられた内軸に加飾物を固定することが難しく、使用者が好みに合わせて加飾物を任意に取り換えて使用できる筆記具を鋭意検討した。
【課題を解決するための手段】
【０００５】
本発明は、外軸を透明あるいは着色透明に構成し、この外軸内に内軸を設けた筆記具において、外軸の後部に内鍔を形成し、この内鍔に長手方向に伸びたキー溝を形成するとともに、内軸の後部に外鍔を形成し、この外鍔より長手方向前方に伸びたキーを形成し、内軸のキーを外軸のキー溝に係合して外軸内に内軸を回動不能に挿入し、更に、胴に前記内軸を着脱可能に取り付け、胴の外鍔と内軸の外鍔により外軸を挾持し、内軸の外面に設けた加飾物に更に熱収縮性フイルムを被せ、外軸と内軸の間に挿入された胴の後部と内軸のキーとの間に熱収縮性フイルムを設けて固定したことを第１の要旨とする。
【０００６】
また、治具に加飾物を巻き付け、その上に熱収縮性フイルムを被せて収縮し、この加飾物および熱収縮性フイルムを治具から外して内軸に被せたことを第２の要旨とする。
【０００７】
更に、外軸を透明あるいは着色透明に構成し、この外軸内に内軸を設けた筆記具において、外軸の後部に内鍔を形成し、この内鍔に長手方向に伸びたキー溝を形成するとともに、内軸の後部に外鍔を形成し、この外鍔より長手方向前方に伸びたキーを形成し、内軸のキーを外軸のキー溝に係合して外軸内に内軸を回動不能に挿入し、更に、胴に前記内軸を着脱可能に取り付け、胴の外鍔と内軸の外鍔により外軸を挾持し、熱収縮性フイルムの外面に加飾物を貼着し、この熱収縮性フイルムを内軸に被せ、外軸と内軸の間に挿入された胴の後部と内軸のキーとの間に熱収縮性フイルムを設けて固定したことを第３の要旨とする。
【０００８】
更にまた、治具に熱収縮性フイルムを被せて収縮し、この熱収縮性フイルムに加飾物を貼着し、この熱収縮性フイルムを治具から外して内軸に被せたことを第４の要旨とする。
【０００９】
更にまた、外軸を透明あるいは着色透明に構成し、この外軸内に内軸を設けた筆記具において、外軸の後部に内鍔を形成し、この内鍔に長手方向に伸びたキー溝を形成するとともに、内軸の後部に外鍔を形成し、この外鍔より長手方向前方に伸びたキーを形成し、内軸のキーを外軸のキー溝に係合して外軸内に内軸を回動不能に挿入し、更に、胴に前記内軸を着脱可能に取り付け、胴の外鍔と内軸の外鍔により外軸を挾持し、熱収縮性フイルムの外面に加飾物を設け、この加飾物の外側に更に熱収縮性フイルムを被せ、この熱収縮性フイルムを内軸に被せ、外軸と内軸の間に挿入された胴の後部と内軸のキーとの間に熱収縮性フイルムを設けて固定したことを第５の要旨とする。
【００１０】
更にまた、治具に熱収縮性フイルムを被せて収縮し、この熱収縮性フイルムの外側に加飾物を設け、この加飾物の外側に更に熱収縮性フイルムを被せ、内側の熱収縮性フイルムと外側の熱収縮性フイルムにより加飾物を挟持し、この２つの熱収縮性フイルムと加飾物を治具から外して内軸に被せて取り付けたことを第６の要旨とする。
【発明の効果】
【００１１】
本発明の筆記具は、先ず、治具によって熱収縮性フイルムを収縮するとともに、熱収縮性フイルムに加飾物を設け、この熱収縮性フイルムおよび加飾物を内軸に固定するので、熱収縮性フイルムおよび加飾物を容易に外したり取り付けることができる。従って、使用者が任意に加飾物を交換して内軸に固定できるという利点がある。しかも、熱収縮性フイルムは内軸に被せるのみで固着していないので、ピンセット等で簡単に外すことができる。
【発明を実施するための最良の形態】
【００１２】
外軸を透明あるいは着色透明に構成し、この外軸内に内軸を設けるとともに、内軸の外面に設けた加飾物に更に熱収縮性フイルムを被せることにより、使用者が任意に加飾物を交換できる筆記具を実現した。
【実施例１】
【００１３】
図１、図２、図３、図４、図５、図６および図７により本発明の実施例１を説明する。また、図１の左側を前方とし、右側を後方とする。先ず、図１および図２に示したように、透明樹脂製あるいは着色透明樹脂製で内部が透視可能な外軸１にクリップ２を一体に形成する。この外軸１の後部に内鍔１Ａを形成し、内鍔１Ａに長手方向に伸びたキー溝１Ｂを形成する。また、内軸３の後部に外鍔３Ａを形成するとともに外鍔３Ａより長手方向前方に伸びたキー３Ｂを形成する。更に、内軸３のキー３Ｂと対向して係止突起３Ｃが形成され、この係止突起３Ｃは前方が傾斜面で後方が垂直面に形成される。この内軸３を前記外軸１に後方から挿入し、内軸３のキー３Ｂを外軸１のキー溝１Ｂに係合させて内軸３の回り止めを行うとともに、内軸３の係止突起３Ｃが外軸１の内鍔１Ａに係合して内軸３の抜けを防止する。この内軸３は強い力で後方に押圧すれば外すことができる。
【００１４】
次に、図３に示したように、本体４と摺動部材５により治具を構成し、この治具の本体４に先ずシート状の加飾物６を巻き付け、その上から熱収縮性フイルムである透明のシュリングフイルム７を被せ、ドライヤー等で加熱して収縮させる。この加飾物６およびシュリングフイルム７を図４に示したように摺動部材５で押すことにより内軸３に被せる。
【００１５】
この外軸１および内軸３を筆記具の胴８と連結する。筆記具としては、シャープペンシル、ボールペン、サインペン等種々の筆記具が考えられるが、ここでは振出式シャープペンシルで説明する。図５、図６および図７に示したように、中子９は前部に内鍔９Ａが形成され、中間部の相対する位置に開口窓９Ｂが形成される。更に、中子９の外面には２つのキー９Ｃが相対位置に形成される。
【００１６】
消しゴム支え１０の前部外面の上下には２つの突起１０Ａが相対位置に形成され、この突起１０Ａの前端は傾斜して形成される。また、消しゴム支え１０の両側には開口窓１０Ｂが形成され、消しゴム支え１０の前端が撓み可能に形成される。消しゴム支え１０の後部には外鍔１０Ｃが形成され、この外鍔１０Ｃには外方に突出した２つのキー１０Ｄが互いに相対して形成される。更に、消しゴム支え１０の後部内孔１０Ｅには消しゴム１１が嵌合されて取り付けられ、かつ、消しゴム１１を覆うノブ１２が消しゴム支え１０の後部外面１０Ｆに嵌合される。
【００１７】
前記中子９は、中子９のキー９Ｃが内軸３の前部キー溝３Ｄに合わされて挿入され、内軸３の内鍔３Ｅと消しゴム支え１０の外鍔１０Ｃとの間にリターンスプリング１３が張架される。そして、消しゴム支え１０を適宜挿入すると、消しゴム支え１０の突起１０Ａが中子９の開口窓９Ｂに係合して取り付けられる。この時、内軸３の前部キー溝３Ｄに中子９のキー９Ｃが合わされるとともに内軸３の後部キー溝３Ｆに消しゴム支え１０のキー１０Ｄが合わされるので、消しゴム支え１０の突起１０Ａは中子９の開口窓９Ｂに確実に嵌め込まれる。
【００１８】
次に、金属製のチャック１４の後部にコネクター１５を圧入固着する。このコネクター１５の後部をパイプ材からなる芯タンク１６の前部に圧入固着し、コネクター１５の鍔部１５Ａが芯タンク１６の前部に接触する。更に、チャック１４の頭部１４Ａには締リング１７が外嵌され、締リング１７を受け止める連結具１８とコネクター１５の間にスプリング１９が張架される。
【００１９】
胴８は、前部孔８Ａを前記芯タンク１６およびコネクター１５が挿通可能に構成する。更に、胴８の前部細径部８Ｂに滑り止め用のゴムグリップ２０を外嵌する。このゴムグリップ２０は半透明で構成され、内部が目視可能に構成される。
【００２０】
この胴８の前方より前記芯タンク１６を挿入し、胴８の前端と胴８の前部に螺合された口金２１の内段２１Ａにより連結具１８を挟持する。また、口金２１の後端と胴８の外鍔８Ｃによりゴムグリップ２０を挟持する。口金２１には芯２２を適宜の力で保持するゴム等の弾性体で構成された芯ホルダー２３が内蔵される。
【００２１】
重量体２４は金属線をコイル状に巻いて構成し、この重量体２４を胴８の後端より胴８内に摺動可能に内蔵する。また、この重量体２４内に前記芯タンク１６が挿通される。
【００２２】
次に、胴８に前記内軸３を着脱可能に螺合し、胴８の外鍔８Ｃと内軸３の外鍔３Ａにより外軸１を挟持する。また、胴８に内蔵された重量体２４はコネクター１５の鍔部１５Ａと中子９の内鍔９Ａの間を長手方向に摺動可能に構成される。
【００２３】
以上説明した振出式シャープペンシルは、振ることにより重量体２４に慣性力が働き、重量体２４がコネクター１５の鍔部１５Ａに当接する。すると、重量体２４の慣性力がコネクター１５に伝わり、コネクター１５とともにチャック１４および芯タンク１６も前進し一定量芯２２が繰り出される。
【００２４】
また、胴８から内軸３を外した時に、外軸１の内鍔１Ａに内軸３の係止突起３Ｃが係合しているので、外軸１が外れてしまう恐れはない。
【００２５】
更に、外軸１に内軸３を取り付けた後でシュリングフイルム７および加飾物６を取り付けるので、外軸１の内鍔１Ａと内軸３の外面３Ｇとの隙間より厚い加飾物６を内軸３に被せることができ、ホログラム等の加飾物６が可能となる。しかも、シュリングフイルム７は内軸３に被せるのみで固着していないので、ピンセット等で簡単に外すことができ、別の加飾物と交換することができる。
【実施例２】
【００２６】
図８および図９により本発明の実施例２を説明する。先ず、図８に示したように、治具の本体４にシュリングフイルム１０７を被せ、ドライヤー等で加熱して収縮させる。このシュリングフイルム１０７の上に複数のシールからなる加飾物１０６を貼着する。このシュリングフイルム１０７を図９に示した様に摺動部材５で押すことにより内軸３に被せるものである。
【００２７】
この実施例２は、複数の加飾物１０６を外軸１に覆われた内軸３に簡単に取り付けることができる。しかも、加飾物１０６を直接内軸３に貼着していないので、シュリングフイルム１０７をピンセット等で外せば加飾物１０６を外すことができ、別の加飾物に容易に交換することができる。
【実施例３】
【００２８】
図１０により本発明の実施例３を説明する。先ず、治具の本体４にシュリングフイルム１０７を被せ、ドライヤー等で加熱して収縮させる。このシュリングフイルム１０７の上に、複数のホログラム等からなる厚い加飾物１０６を乗せ、更にシュリングフイルム７を被せて加熱により収縮させる。このシュリングフイルム７、１０７および加飾物１０６を摺動部材５で押すことにより内軸３に被せるものである。
【００２９】
この実施例３は、複数の厚い加飾物１０６をシュリングフイルム７、１０７で挟んで固定することにより、加飾物１０６が移動することなく容易に取り付けたり外したりすることができるものである。
【実施例４】
【００３０】
図１１および図１２により本発明の実施例４を説明する。先ず、図１１に示したように、治具の本体１０４にシュリングフイルム１０７を被せ、ドライヤー等で加熱して収縮させる。このシュリングフイルム１０７の上に、複数の加飾物１０６を乗せ、更にシュリングフイルム７を被せて加熱により収縮させる。このシュリングフイルム７、１０７および加飾物１０６を手で保持して外し内軸３に被せる。この場合には、図１２に示したように本体１０４に形成した押部１０４Ａによりシュリングフイルム７、１０７を内軸３の定位置に押し込む。
【００３１】
尚、本発明は、内軸の外側にシュリングフイルムが接触することなく遊嵌された状態に被せられていても良い。この場合には、胴の後端と内軸のキーの間にシュリングフイルムが固定される。
【産業上の利用可能性】
【００３２】
透明の外軸内に設けられた内軸の表面にシールやホログラム等の加飾物を容易に取り付けたり交換できる筆記具に適用できる。
【図面の簡単な説明】
【００３３】
【図１】本発明の実施例１の筆記具を示す部分断面図である。（実施例１）
【図２】実施例１の筆記具の外軸および内軸を示す拡大断面図である。（実施例１）
【図３】加飾物を治具に取り付けた状態を示す部分断面図である。（実施例１）
【図４】加飾物を摺動部材により治具から内軸に移動させた状態を示す部分断面図である。（実施例１）
【図５】本発明の筆記具を示す断面図である。（実施例１）
【図６】図５のＡ−Ａ線を示す断面図である。（実施例１）
【図７】図５のＢ−Ｂ線を示す断面図である。（実施例１）
【図８】本発明の実施例２の加飾物を治具に取り付けた状態を示す部分断面図である。（実施例２）
【図９】実施例２の加飾物を摺動部材により治具から内軸に移動させた状態を示す部分断面図である。（実施例２）
【図１０】本発明の実施例３の加飾物を治具に取り付けた状態を示す部分断面図である。（実施例３）
【図１１】加飾物を別の治具に取り付けた状態を示す断面図である。（実施例４）
【図１２】図１１の治具により加飾物を内軸に押し込んだ状態を示す部分断面図である。（実施例４）
【符号の説明】
【００３４】
１  外軸
３  内軸
６  加飾物
１０６  加飾物
【図１】
0004625668.tif 000002
【図２】
0004625668.tif 000003
【図３】
0004625668.tif 000004
【図４】
0004625668.tif 000005
【図５】
0004625668.tif 000006
【図６】
0004625668.tif 000007
【図７】
0004625668.tif 000008
【図８】
0004625668.tif 000009
【図９】
0004625668.tif 000010
【図１０】
0004625668.tif 000011
【図１１】
0004625668.tif 000012
【図１２】
0004625668.tif 000013